(57)【特許請求の範囲】
【請求項１】
まくらぎと締結部材を介して連結された接続プレートと、前記接続プレートの先端から所望の長さを保って延びるＵ字状延長部材と、前記延長部材とリンクキャリア装置との間に装着され、前記リンクキャリア装置を電気的に絶縁する絶縁体とを備えるリンクキャリア固定装置。
【発明の詳細な説明】
【技術分野】
【０００１】
本発明はエスケープクランクと直角クランクとの中間でリンクを支持するリンクキャリアを長尺まくらぎに頼らず、レール−クランク間所要距離に見合う距離を維持して設置するのに好適なリンクキャリア固定装置に関する。
【背景技術】
【０００２】
鉄道施設の最重要施設である分岐器は、今日、たとえば列車などの高速化に伴ってリード長が極めて長くなっている。一定の距離を超えるリード長の分岐器では、定位置に置くスイッチアジャスタと共に、それから一定の距離をおいて配置する第２スイッチアジャスタが用いられる。電気転てつ機の動作に従い作動するスイッチアジャスタは、分岐器の転換中、第１スイッチアジャスタと第２スイッチアジャスタとが連係して同じように動作しなければならないため両スイッチアジャスタの間に特殊なリンク機構が組み込まれる。
【０００３】
たとえば、図５に示すように、転てつ機５１の始動で第１スイッチアジャスタ５２のロッド５３が移動し、第１転てつ棒５４が駆動される。この転てつ棒５４の運動でトングレールＴが移動して基本レールに当接する。第１転てつ棒５４の移動に従ってロッド５３が同じ方向に動き、リンク５５が直角クランク装置５６のクランク５７を回動させる。このクランク５７の回動でリンクキャリア５８上のリンク５９が図において左方向に動き、このとき同じ方向に動くアジャストリンク６０がエスケープクランク装置６１の原動クランク６２を回動させる。
【０００４】
この原動クランク６２の回動によりエスケープクランク６３を介して第２スイッチアジャスタ６４のロッド６５が移動し、第２転てつ棒６６が駆動される。この第２転てつ棒６６の運動でトングレールＴが移動して基本レールに当接する。すなわち、第１スイッチアジャスタ５２と第２スイッチアジャスタ６６とが連係してトングレールＴを密着させる同じ動作を行えるようになっている。
【発明の開示】
【発明が解決しようとする課題】
【０００５】
直角クランク装置およびエスケープクランク装置はレールとの間の間隔を転換に障害とならない距離（以下所要距離と称する）だけ離すことを求められる。直角クランク装置とエスケープクランク装置との間でリンクを支持しているリンクキャリア装置も所要距離にほぼ等しい距離だけレールから離した位置に配置されるが、このとき使用されるまくらぎは標準まくらぎと比べて所要距離に相当する長さだけ長い、長尺まくらぎによらなければならない。
【０００６】
これまでエスケープクランク装置および直角クランク装置は比較的大形のものが多用されているが、現状注目を集めているのはより小形化した装置である。このような小形化した装置によれば、１本の鉄製のまくらぎ（以下グリッドまくらぎと称する）上に装置全体を載置できる、という利点がある。小形化した装置の特徴として各クランク装置はこれまでの装置よりも据え付け高さが下がることが考えられる。この場合、リンクを支持するリンクキャリア装置の据え付け高さも同様に低くなり、長尺のグリッドまくらぎにリンクキャリア装置を設置しようとしたとき、長尺グリッドまくらぎを深く削り落とし、削られた箇所に収めるようにする必要がある。
【０００７】
しかしながら、リンクキャリア装置の載置のために長尺グリッドまくらぎに追加加工を施すことは削り落とす材料があまりにも多く、製造工程での無駄が極めて大きい。
【０００８】
そこで、本発明の目的は長尺グリッドまくらぎに頼らないでレール−クランク間所要距離に見合う距離を維持してリンクキャリア装置を設置できるリンクキャリア固定装置を提供することにある。
【課題を解決するための手段】
【０００９】
本発明に係るリンクキャリア固定装置はまくらぎと締結部材を介して連結された接続プレートと、この接続プレートの先端から所望の長さを保って延びるＵ字状延長部材と、この延長部材とリンクキャリア装置との間に装着され、リンクキャリア装置を電気的に絶縁する絶縁体とを備えるものである。
【００１０】
本発明の延長部材はレール−クランク間所要距離に見合うある長さを保って延びる。このような長い延長部材によりリンクキャリア装置の設置ではまくらぎと共に所要距離にほぼ等しい距離を確保することができる。これにより、長尺まくらぎによらず、軽量で、取り扱いの容易な延長部材によってリンクキャリア装置を設置することができる。
【００１１】
レールを信号設備の一部として使用する軌道回路においてはリンクが回路と導通するため隣接する軌道回路との導通を遮る絶縁手段を使用する。本発明ではリンクキャリア装置を電気的に絶縁するように延長部材とリンクキャリア装置との間に絶縁体を介装する。これにより軌道回路電流が隣接する軌道回路に流れるのを防ぐことができる。
【発明を実施するための最良の形態】
【００１２】
本発明のリンクキャリア固定装置の一実施の形態について図面を参照して説明する。図１において、本実施の形態のリンクキャリア固定装置は一体化された接続プレート１と延長部材２とを備える。この接続プレート１は平坦なプレート材からなり、グリッドまくらぎ３にボルト４によって固定されている。延長部材２は後記のようにＵ字状に複数のプレートを組み合わせて形成したもので、レール−クランク間所要距離に見合うある長さを有する。接続プレート１と延長部材２とは本実施の形態では溶接で一体に結合される。
【００１３】
また、リンクキャリア固定装置は接続プレート１から延長部材２にわたるように配置された補強プレート５を備える。この補強プレート５はＵ字状延長部材２のほぼ中心に配置される。本実施の形態では、補強プレート５は延長部材２および接続プレート１との接合部が溶接で一体化されている。
【００１４】
また、リンクキャリア固定装置はリンクキャリア装置６を電気的に絶縁するための絶縁体７を備える。この絶縁体７は延長部材２とリンクキャリア６との間に装着される。絶縁体７は、図２（ａ）（ｂ）に示すように、延長部材２とリンクキャリア装置６のリンクホルダ８との間に介装される絶縁プレート９と、ホルダ取り付けボルト１０周りに装着された絶縁チューブ１１と、ホルダ取り付けボルト１０と螺合するナット１２およびカラー１３の下面に取り付けた絶縁カラー１４とからなる。この絶縁プレート９および絶縁チューブ１１はエポキシ樹脂で作製される。また、絶縁カラー１４はポリアミド樹脂（たとえば、ナイロン６）から作製される。
【００１５】
一方、図３（ａ）（ｂ）に示すように、延長部材２はプレート１４と、２枚のプレート１５、１６とを組み合わせて断面Ｕ字状に形成される。プレート１４のほぼ中心には長手方向に沿って長孔１７が穿設される。また、プレート１４の端に４個の孔１８が穿たれる。この孔１８はホルダ取り付けボルト１０（図２参照）の外径に合わせて形成される。
【００１６】
上記構成からなるリンクキャリア固定装置においては、延長部材２がレール−クランク間所要距離に見合う長さを保って延びる。このため、リンクキャリア装置６の設置ではグリッドまくらぎ３と共に所要距離に見合う必要な距離を確保することができる。リンクキャリア装置６は高負荷を担う手段ではなく、軽量で、取り扱いの容易な延長部材２だけでリンクキャリア装置６を支持することができる。
【００１７】
また、レールを信号設備の一部として使用するものでは主要な要素が金属材料からなるリンクキャリア装置６が隣接するレールの一部と導通するためリンクキャリア装置６を絶縁手段を用いて電気的に絶縁する必要がある。本実施の形態ではリンクキャリア装置６との間に絶縁体７を介装しているので、導通を遮ることが可能になり、軌道電流が隣接する軌道回路に流れるのを防ぐことができる。
【００１８】
このように本実施の形態によれば、長尺グリッドまくらぎに頼らないでレール−クランク間所要距離に見合う距離を維持してリンクキャリア装置を設置することができる。
【００１９】
なお、本実施の形態の絶縁体７は絶縁プレート９と絶縁チューブ１１とを個別の要素として成形したものを述べたが、図４に示すように、これは１つの要素からなる絶縁体１５として一体に成形してもよい。
【図面の簡単な説明】
【００２０】
【図１】本発明によるリンクキャリア固定装置の一実施の形態を示す正面図である。
【図２】図１に示されるリンクキャリア固定装置を示すもので、（ａ）はリンクキャリア固定装置の平面図、（ｂ）は図２（ａ）のＸ−Ｘ線に沿う断面図である。
【図３】本発明による延長部材を示すもので、（ａ）は延長部材の平面図、（ｂ）は図３（ａ）のＹ−Ｙ線に沿う断面図である。
【図４】本発明による絶縁体の他の実施の形態を示す断面図である。
【図５】従来の転換鎖錠装置の一例を示す平面図である。
【符号の説明】
【００２１】
１…  接続プレート
２…  延長部材
３…  グリッドまくらぎ
５…  補強プレート
７、１５…  絶縁体
９…  絶縁プレート
１１…  絶縁チューブ
１４…  絶縁カラー
【図１】
0004351267.tif 000002
【図２】
0004351267.tif 000003
【図３】
0004351267.tif 000004
【図４】
0004351267.tif 000005
【図５】
0004351267.tif 000006